(57)【要約】【課題】絨毯に付着した人間や動物の毛などを粘着テープロールにより容易に捕集することができる掃除具を提供する。【解決手段】粘着テープロールを清掃面上で転がすことにより、粘着テープロールの粘着面で清掃面上のゴミを捕集する掃除具において、固定部材に回転自在に配設され、粘着テープロールが着脱可能な棒状部材と、棒状部材に粘着テープロールが挿入された際に、粘着テープロールと当接することなく、粘着テープロールと平行になるよう固定部材に回転自在に配設された第１、第２のブラシ部とを有し、第１のブラシ部は粘着テープロールが転がる所定方向において棒状部材の前方側に配設され、第２のブラシ部は所定の方向において棒状部材の後方側に配設され、棒状部材に粘着テープロールが挿入された際に、粘着テープロールの下端部と第１のブラシ部の下端部と第２のブラシ部の下端部とが同一平面上に位置するようにしたものである。【選択図】        図２
2014180375.tif 000002
【特許請求の範囲】
【請求項１】
粘着テープロールを清掃面上で転がすことにより、前記粘着テープロールの粘着面で前記清掃面上のゴミを捕集する掃除具において、
固定部材に回転自在に配設され、前記粘着テープロールが着脱可能な棒状部材と、
前記棒状部材に前記粘着テープロールが挿入された際に、前記粘着テープロールが転がる所定の方向において前記棒状部材の前方側に配設され、前記粘着テープロールと当接することなく、前記粘着テープロールと平行になるよう前記固定部材に回転自在に配設された第１のブラシ部と、
前記棒状部材に前記粘着テープロールが挿入された際に、前記所定の方向において前記棒状部材の後方側に配設され、前記粘着テープロールと当接することなく、前記粘着テープロールと平行になるよう前記固定部材に回転自在に配設された第２のブラシ部と
を有し、
前記棒状部材に前記粘着テープロールが挿入された際に、前記粘着テープロールの下端部と前記第１のブラシ部の下端部と前記第２のブラシ部の下端部とが同一平面上に位置する
ことを特徴とする掃除具。
【請求項２】
請求項１に記載の掃除具において、
前記第１のブラシ部は、第１の軸部材と、前記第１の軸部材に形成された第１のブラシと、前記第１のブラシの一方の端部に設けられた第１の円板部材と、前記第１のブラシの他方の端部に設けられた第２の円板部材とを有し、前記第１の軸部材が前記固定部材に設けられた軸受けに回転可能に保持され、
前記第２のブラシ部は、第２の軸部材と、前記第２の軸部材に形成された第２のブラシと、前記第２のブラシの一方の端部に設けられた第３の円板部材と、前記第２のブラシの他方の端部に設けられた第４の円板部材とを有し、前記第２の軸部材が前記固定部材に設けられた軸受けに回転可能に保持されている
ことを特徴とする掃除具。
【請求項３】
請求項２に記載の掃除具において、
前記第１乃至第４の円板部材は、それぞれ同径であり、第１のブラシ部および前記第２のブラシ部の径より小さい径である
ことを特徴とする掃除具。
【請求項４】
請求項３に記載の掃除具において、
前記粘着テープロールは、心棒に帯状の粘着テープを巻き回して形成されるものであり、
前記粘着テープロールの前記心棒の下端部と前記第１乃至第４の円板部材の下端部とは同一平面上に位置する
ことを特徴とする掃除具。
【請求項５】
請求項２、３または４のいずれか１項に記載の掃除具において、
前記粘着テープロールの粘着面の一方の端部は、前記第１のブラシの一方の端部および前記第２のブラシの一方の端部と前記所定の方向と直交する方向において一致し、
前記粘着テープロールの粘着面の他方の端部は、前記固定部材の他方の端部と前記所定の方向と直交する方向において一致する
ことを特徴とする掃除具。
【発明の詳細な説明】
【技術分野】
【０００１】
本発明は、掃除具に関し、さらに詳細には、片面に粘着面が形成された帯状の粘着テープを、当該粘着面が外側に向けて巻き回されて形成された粘着テープロールを用いた掃除具に関する。
【背景技術】
【０００２】
従来より、片面に粘着面が形成された帯状の粘着テープの当該粘着面を外側に向けて巻き回されて形成された粘着テープロール１０２の筒形状の心棒１０４に、棒状部材１０６が挿入され、棒状部材１０６の一方の端部からアーム部材１０８を介して持手部１２０が形成された掃除具１００が知られている。
【０００３】
こうした掃除具は、棒状部材１０６が挿入された粘着テープロール１０２を、床や絨毯などの清掃面に押しつけて転がすことにより、清掃面に付着したゴミを捕集するものである。
【０００４】
しかしながら、こうした従来の技術による掃除具１００においては、粘着テープロール１０２の粘着面における粘着力のみによりゴミを捕集するようにしていたため、例えば、絨毯などに付着した人間や動物の毛などを捕集することが大変難しいものであった。
【０００５】
このため、絨毯などに付着した人間や動物の毛などを粘着ロールで容易に捕集することができる掃除具の提案が望まれていた。
【０００６】
なお、本願出願人が特許出願のときに知っている先行技術は、文献公知発明に係る発明ではないため、本願明細書に記載すべき先行技術文献情報はない。
【発明の概要】
【発明が解決しようとする課題】
【０００７】
本発明は、従来の技術の有する上記したような要望に鑑みてなされたものであり、その目的とするところは、絨毯に付着した人間や動物の毛などを粘着テープロールにより容易に捕集することができる掃除具を提供しようとするものである。
【課題を解決するための手段】
【０００８】
上記目的を達成するために、本発明は、粘着テープロールを清掃面上で転がすことにより、上記粘着テープロールの粘着面で上記清掃面上のゴミを捕集する掃除具において、固定部材に回転自在に配設され、上記粘着テープロールが着脱可能な棒状部材と、上記棒状部材に上記粘着テープロールが挿入された際に、上記粘着テープロールが転がる所定の方向において上記棒状部材の前方側に配設され、上記粘着テープロールと当接することなく、上記粘着テープロールと平行になるよう上記固定部材に回転自在に配設された第１のブラシ部と、上記棒状部材に上記粘着テープロールが挿入された際に、上記所定の方向において上記棒状部材の後方側に配設され、上記粘着テープロールと当接することなく、上記粘着テープロールと平行になるよう上記固定部材に回転自在に配設された第２のブラシ部とを有し、上記棒状部材に上記粘着テープロールが挿入された際に、上記粘着テープロールの下端部と上記第１のブラシ部の下端部と上記第２のブラシ部の下端部とが同一平面上に位置するようにしたものである。
【０００９】
また、本発明は、上記した発明において、上記第１のブラシ部は、第１の軸部材と、上記第１の軸部材に形成された第１のブラシと、上記第１のブラシの一方の端部に設けられた第１の円板部材と、上記第１のブラシの他方の端部に設けられた第２の円板部材とを有し、上記第１の軸部材が上記固定部材に設けられた軸受けに回転可能に保持され、上記第２のブラシ部は、第２の軸部材と、上記第２の軸部材に形成された第２のブラシと、上記第２のブラシの一方の端部に設けられた第３の円板部材と、上記第２のブラシの他方の端部に設けられた第４の円板部材とを有し、上記第２の軸部材が上記固定部材に設けられた軸受けに回転可能に保持されているようにしたものである。
【００１０】
また、本発明は、上記した発明において、上記第１乃至第４の円板部材は、それぞれ同径であり、第１のブラシ部および上記第２のブラシ部の径より小さい径であるようにしたものである。
【００１１】
また、本発明は、上記した発明において、上記粘着テープロールは、心棒に帯状の粘着テープを巻き回して形成されるものであり、上記粘着テープロールの上記心棒の下端部と上記第１乃至第４の円板部材の下端部とは同一平面上に位置するようにしたものである。
【００１２】
また、本発明は、上記した発明において、上記粘着テープロールの粘着面の一方の端部は、上記第１のブラシの一方の端部および上記第２のブラシの一方の端部と上記所定の方向と直交する方向において一致し、上記粘着テープロールの粘着面の他方の端部は、上記固定部材の他方の端部と上記所定の方向と直交する方向において一致するようにしたものである。
【発明の効果】
【００１３】
本発明は、以上説明したように構成されているので、絨毯に付着した人間や動物の毛などを粘着テープロールにより容易に捕集することができるという優れた効果を奏するものである。
【図面の簡単な説明】
【００１４】
【図１】図１は、従来の技術による掃除具の概略構成斜視説明図である。
【図２】図２は、本発明による掃除具の概略構成斜視説明図である。
【図３】図３（ａ）は、図２のＩ矢視図であり、また、図３（ｂ）は、図２のＩＩ矢視図である。
【図４】図４は、図３（ａ）のＩＩＩ矢視図である。
【発明を実施するための形態】
【００１５】
以下、添付の図面を参照しながら、本発明による掃除具の実施の形態の一例を詳細に説明するものとする。
【００１６】
なお、以下の説明においては、図１を参照しながら説明した従来の技術による掃除具と同一または相当する構成については、上記において用いた符号と同一の符号を用いて示すことにより、その詳細な構成ならびに作用の説明を適宜に省略することとする。
【００１７】
ここで、図２には、本発明による掃除具の概略構成説明図が示されており、また、図３（ａ）には、図２のＩ矢視図が示されており、また、図３（ｂ）には、図２のＩＩ矢視図が示されており、また、図３には、図２のＩＩＩ矢視図が示されている。
【００１８】
この図２乃至図４に示す本発明による掃除具１０は、ＸＹＺ直交座標系におけるＸ軸方向に延長した略直方体形状の固定部材１２と、固定部材１２の略中央においてアーム部１４を介してＹ軸方向に延設されるとともに、粘着テープロール１０２の心棒１０４に挿入されて粘着テープロール１０２を回動自在に保持する棒状部材１６と、固定部材１２の前方側においてアーム部１８を介してＹ軸方向に延設されたブラシ部２２と、固体部材１２の後方側においてアーム部２０を介してＹ軸方向に延設されたブラシ部２４と、固定部材１２の上面１２ａにおいて回動可能に配設された柄部２６と、柄部２６の上端部に配設された持手部２８とを有して構成されている。
【００１９】
より詳細には、固定部材１２は、略直方体形状の左側面１２ｂの略中央位置から左方側に延長されたアーム部１４が設けられている。
【００２０】
このアーム部１４は、屈曲部１４ａにおいて下方側に屈曲するとともに、屈曲点１４ｂにおいて右方側に屈曲している。
【００２１】
そして、一方の端部１４ｃが固定部材１２に固定されるとともに、他方の端部１４ｄに棒状部材１６が回動可能に配設されている。
【００２２】
従って、棒状部材１６は、固定部材１２の下方側においてＹ軸方向に平行に配設されることとなる。
【００２３】
また、固定部材１２は、前方側においてアーム部１４と間隔ｇ１を空けてアーム部１８が固定的に配設されている。
【００２４】
アーム部１８は、固定部材１２を貫通してＹ軸方向に平行に配設されており、左方側に位置する屈曲部１８ｃと右方側に位置する屈曲部１８ｄとにおいて下方側に屈曲している。そして、左方側端部に設けられた軸受部１８ａと右方側端部に設けられた軸受部１８ｂとにおいて、ブラシ部２２が回転自在に支持されている。
【００２５】
さらに、固定部材１２は、後方側においてアーム部１４と間隔ｇ１を空けてアーム部２０が固定的に配設されている。
【００２６】
なお、このアーム部２０は、アーム部１８と同一の形状となっている。
【００２７】
即ち、アーム部２０は、固定部材１２を貫通してＹ軸方向に平行に配設されており、左方側に位置する屈曲部２０ｃと右方側に位置する屈曲部２０ｄとにおいて下方側に屈曲している。そして、左方側端部にも受けられた軸受部２０ａと右方側端部に設けられた軸受部２０ｂとにおいて、ブラシ部２４が回転自在に支持されている。
【００２８】
棒状部材１６は、粘着テープロール１０２を着脱可能な構成となっており、Ｙ軸方向に延設されるとともに、Ｘ軸方向に延長した固定部材１２の略中央部に固定的に配設されたアーム部１４を介して、アーム部１４に回転自在に配設されている。
【００２９】
また、棒状部材１６の外径は、粘着テープロール１０２の筒形状の心棒１０４の内径と略一致するように設計されており、棒状部材１６は、棒状部材１６を心棒１０４内に挿入して粘着テープロール１０２を保持可能な構成となっている。
【００３０】
また、ブラシ部２２は、棒状部材１６に未使用の粘着テープロール１０２が保持された状態のときに、ブラシ２２−２（後述する。）が未使用の粘着テープロール１０２と接触しない位置に配設される。
【００３１】
このブラシ部２２は、固定部材２２の前方側に固定的に配設されたアーム部１８に回動自在に支持された軸部材２２−１と、軸部材２２−１に略円柱形状に形成されたブラシ２２−２と、ブラシ２２−２の左右両端部に設けられた円板部材２２−３、２２−４とを有して構成されている。
【００３２】
軸部材２２−１は、アーム部１８の左方側端部に設けられた軸受部１８ａおよび右方側端部に設けられた軸受部１８ｂに回動自在に支持されており、軸受部１８ａ、１８ｂを含むアーム部１８の長さＬ１と略一致する長さに設計されている。
【００３３】
ブラシ２２−２は、軸部材２２−１においてＹ軸方向に長さＬ２だけ形成されており、それぞれ一致した長さの多数のブラシ毛が放射状に配設されて略円柱形状を形成している。
【００３４】
また、ブラシ２２−２は、棒状部材１６に未使用の粘着テープロール１０２が保持された状態のときに、未使用の粘着ロールテープ１０２の下端部とブラシ２２−２の下端部とがＺ軸方向で一致するようにブラシ毛の長さが設計されている。つまり、未使用の粘着テープロール１２の下端部とブラシ部２２の下端部とは同一平面上に位置することとなる。
【００３５】
円板部材２２−３は、ブラシ２２−２の左方側端部２２−２ａにおいて、軸部材２２−１に回転自在に配設されており、この円板部材２２−３の径は、円板部材２２−４の径と一致するとともにブラシ２２−２の径より小さくなるよう設計されている。
【００３６】
また、円板部材２２−４は、ブラシ２２−２の右方側端部２２−２ｂにおいて、軸部材２２−１に回転自在に配設されており、この円板部材２２−４の径は、円板部材２２−３の径と一致するとともにブラシ２２−２の径より小さくなるよう設計されている。
【００３７】
さらに、円板部材２２−３、２２−４の径はそれぞれ、棒状部材１６に粘着テープロール１０２が保持された状態のときに、心棒１０４の下端部と円板部材２２−３、２２−４の下端部とがＺ軸方向で一致するように設計されている。つまり、心棒１０４の下端部と円板部材２２−３、２２−４の下端部とは同一平面上に位置することとなる。
【００３８】
このブラシ部２２は、棒状部材１６に粘着テープロール１０２が保持された状態のときには、円板部材２２−３の左方側端部２２−３ａと粘着テープロール１０２の左方側端部１０２ａとがＹ軸方向で一致するようになされている。
【００３９】
また、棒状部材１６に粘着テープロール１０２が保持された状態のときには、ブラシ２２−２の左方側端部２２−２ａが、粘着テープロール１０２の粘着面の左方側端部１０２ｃとＹ軸方向で一致し、アーム部１８の軸受部１８ｂの右方側端部１８ｂａが粘着テープロール１０２の粘着面の右方側端部１０２ｄとＹ軸方向で一致するようになされている。
【００４０】
また、ブラシ部２４は、棒状部材１６に未使用の粘着テープロール１０２が保持された状態のときに、ブラシ２４−２（後述する。）が未使用の粘着テープロール１０２と接触しない位置に配設される。
【００４１】
このブラシ部２４は、固定部材２２の後方側に固定的に配設されたアーム部材２０に回動自在に支持された軸部材２４−１と、軸部材２４−１に略円柱形状に形成されたブラシ２４−２と、ブラシ２４−２の左右両端部に設けられた円板部材２４−３、２４−４とを有して構成されている。
【００４２】
軸部材２４−１は、アーム部２０の左方側端部に設けられた軸受部２０ａおよび右方側端部に設けられた軸受部２０ｂに回動自在に支持されており、アーム部２０の長さＬ１と略一致する長さに設計されている。
【００４３】
ブラシ２４−２は、軸部材２４−１においてＹ軸方向に長さＬ２だけ形成されており、それぞれ一致した長さの多数のブラシ毛が放射状に配設されて略円柱形状を形成している。
【００４４】
また、ブラシ２４−２は、棒状部材１６に未使用の粘着テープロール１０２が保持された状態のときに、未使用の粘着テープロール１０２の下端部とブラシ２４−２の下端部とがＺ軸方向で一致するようにブラシ毛の長さが設計されている。つまり、未使用の粘着テープロール１２の下端部およびブラシ部２２の下端部と、ブラシ部２４の下端部とは同一平面上に位置することとなる。
【００４５】
円板部材２４−３は、ブラシ２４−２の左方側端部２４−２ａにおいて、軸部材２４−１に回転自在に配設されており、この円板部材２４−３の径は、円板部材２４−４の径と一致するとともにブラシ２４−２の径より小さくなるように設計されている。なお、ブラシ２４−２の径は、ブラシ２２−２の径と同径である。つまり、ブラシ部２４とブラシ部２２とは同径となっている。
【００４６】
また、円板部材２４−４は、ブラシ２４−２の右方側端部２４−２ｂにおいて、軸部材２４−１に回転自在に配設されており、この円板部材２４−４の径は、円板部材２４−３の径と一致するとともにブラシ２４−２の径より小さくなるよう設計されている。
【００４７】
さらに、円板部材２４−３、２４−４の径はそれぞれ、円板部材２２−３、２２−４と同径となっており、棒状部材１６に粘着テープロール１０２が保持された状態のときに、心棒１０４の下端部と円板部材２４−３、２４−４の下端部とがＺ軸方向で一致するように設計されている。つまり、心棒１０４の下端部と円板部材２４−３、２４−４の下端部とは同一平面上に位置することとなる。
【００４８】
このブラシ部２４は、棒状部材１６に粘着テープロール１０２が保持された状態のときには、円板部材２４−３の左方側端部２４−３ａと粘着テープロール１０２の左方側端部１０２ａとがＹ軸方向で一致するようになされている。
【００４９】
また、棒状部材１６に粘着テープロール１０２が保持された状態のときには、ブラシ２４−２の左方側端部２４−２ａが、粘着ロールテープ１０２の粘着面の左方側端部１０２ｃとＹ軸方向で一致し、アーム部２０の軸受部２０ｂの右方側端部２０ｂが粘着テープロール１０２の粘着面の右方側端部１０２ｄとＹ軸方向で一致するようになされている。
【００５０】
以上の構成において、本発明による掃除具１０により、絨毯などの清掃面に付着したゴミを捕集する場合には、利用者は、持手部２８を持ち、粘着テープロール１０２を清掃面に押しつける。
【００５１】
このとき、粘着テープロール１０２の前後に配設されているブラシ部２２、２４も清掃面に押しつけられることとなる。
【００５２】
そして、粘着テープロール１０２を清掃面に押しつけながら、当該粘着テープロール１０２を転がす。
【００５３】
このとき、掃除具１０が後方側から前方側に移動すると、粘着テープロール１０２が矢印Ａ方向に回転するとともに、ブラシ部２２が矢印Ｂ方向に回転し、ブラシ２２−２が清掃面に付着したゴミを掻き上げた後に、当該ゴミを粘着テープロール１０２で捕集することができる。
【００５４】
また、掃除具１０が前方側から方向側に移動すると、粘着テープロール１０２が矢印Ｃ方向に回転するとともに、ブラシ部２４が矢印Ｄ方向に回転し、ブラシ２４−２が清掃面に付着したゴミを掻き上げた後に、当該ゴミを粘着テープロール１０２で捕集することができる。
【００５５】
以上において説明したように、本発明による掃除具１０は、持手部が２８が形成された柄部２６が配設された固定部材１２に粘着ロールテープ１０２と、粘着ロールテープ１０２の前方側および後方側に粘着テープロール１０２と平行にブラシ部２２、２４とを配設するようにした。
【００５６】
これにより、本発明による掃除具１０においては、掃除具１０を前後方向に移動させた際に、ブラシ部２２、２４により絨毯などの清掃面のゴミを掻き上げた後に粘着テープロール１０２で掻き上げたゴミなどを捕集することができる。
【００５７】
従って、本発明による掃除具１０によれば、絨毯に付着した人間や動物の毛などを容易に捕集することができるようになる。
【００５８】
また、本発明による掃除具１０は、ブラシ部２２において、ブラシ２２−２の左右両端部にブラシ２２−２の径より小さい径の円板部材２２−３、２２−４を設けるようにし、ブラシ部２４において、ブラシ２４−２の左右両端部にブラシ２４−２の径より小さい径の円板部材２４−３、２４−４を設けるようにした。
【００５９】
これにより、本発明による掃除具１０においては、固定部材１２の前方側あるいは後方側に力がかかったとしても、円板部材２２−３、２２−４、２４−３、２４−４によりブラシ部２２、２４のブラシ２２−２、２４−２のブラシ毛が根本からつぶれてしまうことがなくなる。
【００６０】
従って、本発明による掃除具１０によれば、固定部材１２の前方側あるいは後方側に力がかかっても、ブラシ２２−２、２４−２によるゴミの掻き上げを確実に行うことができようになる。
【００６１】
さらに、本発明による掃除具１０は、左方側において、ブラシ２２−２の左方側端部２２−２ａと、粘着テープロール１０２の粘着面の左方側端部１０２ｃと、ブラシ２４−２の左方側端部２４−２ａとがＹ軸方向で一致するようにし、右方側において、軸受部１８ｂの右方側端部１８ｂａと軸受部２０ｂの右方側端部２０ｂａとが粘着テープロール１０２の粘着面の右方側端部１０２ｄとＹ軸方向で一致するようにした。
【００６２】
これにより、壁ぎわなどではゴミの捕集を左方側で実行することができるようになる。
【００６３】
なお、上記した実施の形態は、以下の（１）乃至（４）に示すように変形するようにしてもよい。
【００６４】
（１）上記した実施の形態においては、固定部材１２をＸ軸方向に延長した略直方体形状としたが、これに限られるものではないことは勿論であり、例えば、粘着テープロール１０２およびブラシ部２２、２４の上方側を覆うような形状としてもよく、アーム部１４、１８、２０を固定することができる形状であれば、どのような形状であってもよい。
【００６５】
（２）上記した実施の形態においては、粘着テープロール１０２の粘着面の左方側端部１０２ｃと、ブラシ２２−２の左方側端部２２−２ａおよびブラシ２４−２の左方側端部２４−２ａとがＹ軸方向において一致し、粘着テープロール１０２の粘着面の右方側端部１０２ｄと、軸受部１８ｂの右方側端部１８ｂａおよび軸受部２０ｂの右方側端部２０ｂａとがＹ軸方向において一致するようにしたが、左右を逆転した構成としてもよいことは勿論である。
【００６６】
即ち、粘着テープロール１０２の右方側端部１０２ｄと、ブラシ２２−２の右方側端部２２−２ｂおよびブラシ２４−２の右方側端部２４−３ｂとがＹ軸方向において一致し、粘着テープロール１０２の粘着面の左方側端部１０２ｃと、軸受部１８ａの左方側端部１８ａａおよび軸受部２０ａの左方側端部２０ａａとがＹ軸方向において一致するようにしてもよい。
【００６７】
（３）上記した実施の形態においては、粘着テープロール１０２の粘着面の右方側端部１０２ｄと、軸受部１８ｂの右方側端部１８ｂａおよび軸受部２０ｂの右方側端部２０ｂａとがＹ軸方向において一致するようにしたが、これに限られるものではないことは勿論であり、粘着テープロール１０２の粘着面の右方側端部１０２ｄは、軸受部１８ｂの右方側端部１８ｂａおよび軸受部２０ｂの右方側端部２０ｂａより右方側に位置するようにしてもよい。
【００６８】
（４）上記した実施の形態ならびに上記した（１）乃至（３）に示す変形例は、適宜に組み合わせるようにしてもよい。
【産業上の利用可能性】
【００６９】
本発明は、絨毯などの細かいゴミが入り込みやすい清掃面を掃除する際に利用して好適である。
【符号の説明】
【００７０】
１０、１００        掃除具
１２        固定部材
１４、１８、２０、１０８        アーム部
１６、１０６        棒状部材
２２、２４        ブラシ部
２２−１、２４−１        軸部材
２２−２、２４−２        ブラシ
２２−３、２２−４、２４−３、２４−４        円板部材
２６        柄部
２８、１２０        持手部
１０２        粘着テープロール
【図１】
2014180375.tif 000003
【図２】
2014180375.tif 000004
【図３】
2014180375.tif 000005
【図４】
2014180375.tif 000006